(57)【要約】水質分析計は、内部で液体の試料を燃焼させるための燃焼管（２）と、前記燃焼管（２）への試料注入動作を実行する試料注入部（６；８）と、前記燃焼管（２）内の圧力を検出する圧力センサ（２８）と、前記燃焼管（２）の温度を検出する温度センサ（３８）と、前記試料注入部（６；８）による前記試料注入動作が実行された直後の前記圧力センサ（２８）の出力及び前記温度センサ（３８）の出力に基づいて、前記燃焼管（２）及び／又は前記試料注入部（６；８）について正常か異常かを判定するように構成された判定部（４６）と、を備えている。
2020129347.tif 000002
【特許請求の範囲】
【請求項１】
内部で液体の試料を燃焼させるための燃焼管と、
前記燃焼管への試料注入動作を実行する試料注入部と、
前記燃焼管内の圧力を検出する圧力センサと、
前記燃焼管の温度を検出する温度センサと、
前記試料注入部による前記試料注入動作が実行された直後の前記圧力センサの出力及び前記温度センサの出力に基づいて、前記燃焼管及び／又は前記試料注入部について正常か異常かを判定するように構成された判定部と、を備えている水質分析計。
【請求項２】
前記判定部は、前記試料注入部による前記試料注入動作が実行された直後の前記圧力センサの出力の変動の有無、及び、前記温度センサの出力の変動の有無を検知し、その検知結果に基づいて、前記燃焼管及び／又は前記試料注入部について正常か異常かを判定するように構成されている、請求項１に記載の水質分析計。
【請求項３】
前記判定部は、前記圧力センサの出力の変動を検知したときは前記燃焼管及び前記試料注入部が正常であると判定し、前記温度センサの出力の変動のみを検知したときは前記燃焼管が異常かつ前記試料注入部が正常であると判定し、前記圧力センサの出力及び前記温度センサの出力のいずれの変動も検知しなかったときは前記試料注入部が異常であると判定するように構成されている、請求項２に記載の水質分析計。
【請求項４】
前記判定部は、前記圧力センサの出力が予め設定された第１のしきい値を超えたときに前記圧力センサの出力の変動を検知し、前記温度センサの出力が予め設定された第２のしきい値を下回ったときに前記温度センサの出力の変動を検知するように構成されている、請求項２に記載の水質分析計。
【請求項５】
前記判定部による判定結果を記憶する判定結果記憶部を備えている、請求項１に記載の水質分析計。
【請求項６】
前記燃焼管に流体接続されて前記燃焼管内にキャリアガスを供給するためのキャリアガス供給流路を備え、
前記圧力センサは前記キャリアガス供給流路上に設けられている、請求項１に記載の水質分析計。
【発明の詳細な説明】
【技術分野】
【０００１】
本発明は、水質分析計に関するものである。
【背景技術】
【０００２】
水質分析計の１つとして、燃焼酸化式の全有機体炭素測定装置（ＴＯＣ計）が知られている（特許文献１参照。）。ＴＯＣ計は、酸化触媒が内部に配置されている燃焼管を電気炉によって高温（例えば、６８０℃程度）に加熱し、燃焼管にキャリアガスを一定流量で供給する。燃焼管に液体の試料が注入されると、酸化触媒の作用によって試料に含まれる炭素成分が二酸化炭素に変換される。燃焼管には赤外線式二酸化炭素検出器（ＮＤＩＲ）などの検出器が接続されており、燃焼管において生成された二酸化炭素がキャリアガスとともに検出器へ導かれてその濃度が測定される。
【先行技術文献】
【特許文献】
【０００３】
【特許文献１】特開２０１３−１８５８８４号公報
【特許文献２】特開昭５９−１２２９４８号公報
【発明の概要】
【発明が解決しようとする課題】
【０００４】
分析を行なった際に、検出器による測定値がゼロ又はゼロに近い値となる場合がある。そのような測定値が得られた場合、ユーザはその測定値が試料の正しい測定値であるのか、又は、装置の異常によるものであるのかを判別することが難しい。装置の異常としては、試料を燃焼管へ注入する試料注入部の異常と、燃焼管自身の異常とが考えられる。【０００５】
試料注入部の異常としては、試料槽への試料供給の不具合や採水チューブの閉塞などにより、試料注入部から燃焼管へ試料が正常に注入されないことが挙げられる。一方、燃焼管の異常としては、燃焼管に経年劣化等に起因した亀裂や割れが生じたり、燃焼管への配管取付けが不十分であったりしたために、キャリアガスの漏れが発生して燃焼管から検出器へ試料ガスが正常に移送されないことが挙げられる。【０００６】
燃焼管の温度変化や圧力変化に基づいて燃焼管に試料が正常に注入されたか否かを検知することは提案されている（特許文献１及び２参照）。しかし、それらの方法では、燃焼管の異常を検知することはできない。【０００７】
燃焼管に異常があるか否かを調べるには、燃焼管を電気炉から取り出して確認する必要があるが、これは時間と手間を要する作業である。燃焼管の異常によるキャリアガスの漏れを検出するために、燃焼管の下流にキャリアガス流量を監視するフローセンサを設置するなどの対策を採ることも可能であるが、装置コストが高くなるという問題がある。【０００８】
本発明は、上記問題に鑑みてなされたものであり、試料注入部と燃焼管における異常の有無を検知できるようにすることを目的とするものである。
【課題を解決するための手段】
【０００９】
本発明に係る水質分析計は、内部で液体の試料を燃焼させるための燃焼管と、前記燃焼管への試料注入動作を実行する試料注入部と、前記燃焼管内の圧力を検出する圧力センサと、前記燃焼管の温度を検出する温度センサと、前記試料注入部による前記試料注入動作が実行された直後の前記圧力センサの出力及び前記温度センサの出力に基づいて、前記燃焼管及び／又は前記試料注入部について正常か異常かを判定するように構成された判定部と、を備えている。【００１０】
液体試料を燃焼管に注入すると、液体試料の気化熱により燃焼管内の温度が低下する。したがって、燃焼管内の温度の低下が検出されれば、燃焼管内に試料が注入されたことを検知することができる。【００１１】
また、水が液体の状態から気体の状態へ変化すると体積が約７００倍にまで膨張する。高温に加熱された燃焼管に液体の試料が注入されると、燃焼管内で水が瞬時に気化して体積が膨張し、燃焼管内の圧力が急激に上昇する。燃焼管内の圧力が上昇すると、燃焼管に通じているキャリアガス供給流路内の圧力も上昇する。したがって、キャリアガス供給流路内の圧力を監視しておけば、燃焼管に液体の試料が注入されたか否かを検知することができる。【００１２】
上記の現象から、試料注入部及び燃焼管がともに正常であれば、試料注入部が試料注入動作を実行した直後に燃焼管の温度変動及び燃焼管内の圧力変動が検出されるはずである。試料注入部に異常があるために試料が燃焼管に注入されなかった場合には、燃焼管の温度変動及び燃焼管内の圧力変動は検出されない。一方で、燃焼管にひび割れ等の異常がある場合、試料注入部が試料注入動作を実行した直後に燃焼管の温度変動は検出されるが、燃焼管内の圧力変動は検出されないか、変動してもその変動幅は小さなものとなる。したがって、試料注入部による試料注入動作が実行された直後の圧力センサの出力及び温度センサの出力を監視すれば、試料注入部と燃焼管における異常の有無を検知することができる。
【発明の効果】
【００１３】
本発明に係る水質分析計では、試料注入部による試料注入動作が実行された直後の圧力センサの出力及び温度センサの出力に基づいて、燃焼管及び／又は試料注入部について正常か異常かを判定する判定部を備えているので、試料注入部と燃焼管における異常の有無を検知することができる。
【図面の簡単な説明】
【００１４】
【図１】水質分析計の一実施例を示す概略構成図である。
【図２】同実施例における判定動作の一例を示すフローチャートである。
【発明を実施するための形態】
【００１５】
以下、本発明に係る水質分析計の一実施例について、図面を参照しながら説明する。
【００１６】
図１に、水質分析計の１つである燃焼酸化式ＴＯＣ計の概略的構成を示す。
【００１７】
この実施例のＴＯＣ計は、主として、燃焼管２、電気炉４、切替バルブ６、シリンジポンプ８、除湿部、検出部１２及び制御装置１４を備えている。
【００１８】
燃焼管２は、例えば石英ガラスからなるものであり、内部に酸化触媒が配置されている。燃焼管２は、電気炉４によって高温（例えば、６８０℃）に加熱され、内部に注入された液体の試料を燃焼させて試料ガスを生成するためのものである。燃焼管２は、内部に試料を注入するための試料注入口２ａ、内部にキャリアガスを導入するためのキャリアガス導入口２ｂ、及び内部において試料が燃焼させられることにより生成された試料ガスをキャリアガスとともに外部へ流出させるための試料ガス出口２ｃを備えている。燃焼管２の試料注入口２ａには試料導入流路１６が接続され、キャリアガス導入口２ｂにはキャリアガス供給流路１８が接続され、試料ガス出口２ｃには試料ガス流路２０が接続されている。試料導入流路１６は切替バルブ６の１つの選択ポートに接続されている。
【００１９】
燃焼管２には温度センサ３８が取り付けられている。温度センサ３８の出力は制御装置１４に取り込まれる。制御装置１４は、温度センサ３８によって検出される温度に基づいて、燃焼管２の温度が所定温度になるように電気炉４の加熱出力を制御する。
【００２０】
切替バルブ６は１つの中央ポートと複数の選択ポートを備えている。切替バルブ６の複数の選択ポートには、試料導入流路１６のほか、試料槽へ通じる流路、希塩酸容器へ通じる流路、洗浄液容器へ通じる流路、ドレンへ通じる流路が接続されている。切替バルブ６の中央ポートにシリンジポンプ８の吸入吐出口が接続されており、切替バルブ６によってシリンジポンプ８の吸入吐出口の接続先が切り替えられるようになっている。
【００２１】
切替バルブ６及びシリンジポンプ８は、燃焼管２への試料の注入動作を自動的に行なうための試料注入部を構成するものである。燃焼管２への試料注入動作とは、シリンジポンプ８を試料槽に接続して、試料槽内の試料をシリンジポンプ８内に採取し、必要に応じて試料への酸の添加や通気といった処理をシリンジポンプ８内で行なった後、試料注入口２ａを通じて燃焼管２へ試料を注入する動作である。
【００２２】
キャリアガス供給流路１８は、高純度空気源２４からの高純度空気をキャリアガスとして燃焼管２へ供給するための流路である。キャリアガス供給流路１８上には、抵抗管２６、圧力センサ２８及び流量制御弁３０が設けられている。圧力センサ２８はキャリアガス供給流路１８内の圧力を検出するためのものである。圧力センサ２８の出力信号は制御装置１４に取り込まれる。流量制御弁３０は、キャリアガス供給流路１８を流れるキャリアガスの流量を制御するためのものである。流量制御弁３０は、圧力センサ２８の出力信号に基づいて制御装置１４により開度が制御される。
【００２３】
燃焼管２の試料ガス出口２ｃからの試料ガス流路２０は検出部１２に通じている。検出部１２は、燃焼管２内において生成された試料ガス中の二酸化炭素濃度を測定するためのものであり、例えばＮＤＩＲである。試料ガス流路２０上に除湿部１０が設けられており、燃焼管２の試料ガス出口２ｃから流出した試料ガス中の水分が除湿部１０において除去される。
【００２４】
シリンジポンプ８のシリンジには通気ガス供給流路２２が接続されており、シリンジポンプ８内において通気ガスによる試料の通気処理を行なうことができるようになっている。通気ガス供給流路２２は、高純度空気源２４からの高純度空気を通気ガスとしてシリンジポンプ８のシリンジ内へ供給するための流路である。通気ガス供給流路２２上には、抵抗管３２、圧力センサ３４及び流量制御弁３６が設けられている。圧力センサ３４は通気ガス供給流路２２内の圧力を検出するためのものである。圧力センサ３４の出力信号は制御装置１４に取り込まれる。流量制御弁３６は、通気ガス供給流路２２を流れる通気ガスの流量を制御するためのものである。流量制御弁３６は、圧力センサ３４の出力信号に基づいて制御装置１４により開度が制御される。なお、通気ガス供給流路２２は必ずしも設けられている必要はない。
【００２５】
制御装置１４は、切替バルブ６、シリンジポンプ８、流量制御弁３０及び流量制御弁３６の動作を制御するためのものである。制御装置１４は、例えば、ＣＰＵ（中央演算装置）などの演算素子や記憶装置を備える電子回路によって実現される。
【００２６】
制御装置１４は、注入制御部４０、キャリアガス流量制御部４２、温度制御部４４、判定部４６及び判定結果記憶部４８を備えている。注入制御部４０、キャリアガス流量制御部４２、温度制御部４４、判定部４６は、演算素子がプログラムを実行することによって得られる機能である。判定結果記憶部４８は記憶装置の一部の記憶領域によって実現される機能である。
【００２７】
注入制御部４０は、切替バルブ６及びシリンジポンプ８からなる試料注入部の動作を制御して燃焼管２への試料の注入動作を実行させるように構成されている。注入制御部４０は、ユーザにより試料注入指示が制御装置１４に入力されたときに、又は予め設定された試料注入時刻（例えば、測定開始から一定時間間隔の時刻）になったときに、切替バルブ６及びシリンジポンプ８を駆動するドライバに対して必要な信号を送信し、燃焼管２への試料注入動作を実行させる。
【００２８】
キャリアガス流量制御部４２は、圧力センサ２８の出力信号に基づき、キャリアガス供給流路１８を流れるキャリアガスの流量が予め設定された流量となるように、流量制御弁３０の開度を制御するように構成されている。
【００２９】
温度制御部４４は、温度センサ３８の出力信号に基づき、燃焼管２の温度が所定温度になるように電気炉４の加熱出力を制御するように構成されている。
【００３０】
判定部４６は、試料注入部による試料注入動作が実行された直後の圧力センサ２８の出力信号及び温度センサ３８の出力信号の有無を検知し、その検知結果に基づいて、試料注入部と燃焼管２のそれぞれについて、正常か異常かを判定するように構成されている。
【００３１】
判定結果記憶部４８は、判定部４６による判定結果を記憶する。判定結果記憶部４８に記憶された判定結果は、例えば、検出部１２で得られた測定結果とともに表示装置（図示は省略）に表示することができる。これにより、測定結果に異常があった場合に、それが試料注入の異常によるものであるか否かを事後的に検証することができる。また、判定部４６による判定の結果、燃焼管２が異常であると判定されたときに、注入制御部４０は以降の試料注入動作を中止するように構成されていてもよい。これにより、試料の分析が無駄に実施されることが防止される。
【００３２】
この実施例では、キャリアガス供給流路１８を通じて燃焼管２に供給されるキャリアガスの流量が、圧力センサ２８及び流量制御弁３０を用いて電子的に制御されるようになっている。そして、制御装置１４の判定部４６は、キャリアガス流量を制御するために本来的に設けられている圧力センサ２８、及び、燃焼管２の温度制御のために本来的に設けられている温度センサ３８を利用して、試料注入部と燃焼管２のそれぞれが正常か異常かを判定する。すなわち、この実施例では、既存の装置構成を変更することなく制御装置１４のソフトウエア構成を変更するだけで、試料注入部と燃焼管２のそれぞれが正常か異常かを判定する機能を実現している。
【００３３】
判定部４６による判定動作について、図２のフローチャートを図１とともに参照しながら説明する。ここでは、予め設定された試料注入時刻に燃焼管２への試料の注入動作が自動的に実行されるように構成されている例について説明する。
【００３４】
注入制御部４０は、予め設定された試料注入時刻になると、切替バルブ６及びシリンジポンプ８を駆動するドライバに信号を送信し、燃焼管２への試料注入動作を実行する（ステップＳ１及びＳ２）。判定部４６は、試料注入動作が実行された直後の圧力センサ２８及び温度センサ３８の出力信号を監視し、それらの出力信号の変動の有無を検知する。圧力センサ２８の出力信号の変動の有無は、圧力センサ２８の出力信号が所定のしきい値（第１のしきい値）を超えるか否かによって判断する。温度センサ３８の出力信号の変動の有無は、温度センサ３８の出力信号が所定のしきい値（第２のしきい値）を下回るか否かによって判断する。
【００３５】
試料注入動作が実行された直後に燃焼管２内の圧力変動が検知された場合（ステップＳ３）、燃焼管２内に試料が正常に注入され、それに起因して燃焼管２内の圧力が一時的に上昇したと判断することができる。したがって、判定部４６は、燃焼管２内の圧力変動が検知されときに、試料注入部及び燃焼管２がともに正常であると判定する（ステップＳ４）。
【００３６】
一方、試料注入動作が実行された後に燃焼管２内の圧力変動が検知されなかった場合、試料が燃焼管２内に正常に注入されなかったか、又は、燃焼管２にひび割れ等の不具合があると判断することができる。そこで、判定部４６は、試料注入動作が実行された後に燃焼管２内の圧力変動が検知されなかった場合、温度センサ３８の出力信号の変動の有無を検知し（ステップＳ５）、温度センサ３８の出力信号の変動が検知されれば試料注入部は正常である一方、燃焼管２に異常があると判定し（ステップＳ６）、温度センサ３８の出力信号の変動も検知されなければ試料注入部に異常があると判定する（ステップＳ８）。
【００３７】
燃焼管２に異常がある場合（ステップＳ６）、キャリアガスの漏れが発生して分析を正常に実行することができる状態ではないので、所定の表示部にエラーを表示し、以降の分析動作を中断する。一方、試料注入部に異常がある場合（ステップＳ８）、その判定結果を判定結果記憶部４８に記憶させ（ステップＳ９）、所定の表示部に判定結果を表示する（ステップＳ１０）。なお、燃焼管２が異常であると判定された場合にも、判定結果が判定結果記憶部４８に記憶されるように構成されていてもよい。
【００３８】
以上において説明した実施例は、本発明に係る水質分析計の実施形態の一例を示したに過ぎない。本発明に係る水質分析計の実施形態は以下の通りである。
【００３９】
本発明に係る水質分析計の実施形態では、内部で液体の試料を燃焼させるための燃焼管と、前記燃焼管への試料注入動作を実行する試料注入部と、前記燃焼管内の圧力を検出する圧力センサと、前記燃焼管の温度を検出する温度センサと、前記試料注入部による前記試料注入動作が実行された直後の前記圧力センサの出力及び前記温度センサの出力に基づいて、前記燃焼管及び／又は前記試料注入部について正常か異常かを判定するように構成された判定部と、を備えている。
【００４０】
本発明に係る水質分析計の実施形態の第１態様では、前記判定部は、前記試料注入部による前記試料注入動作が実行された直後の前記圧力センサの出力の変動の有無、及び、前記温度センサの出力の変動の有無を検知し、その検知結果に基づいて、前記燃焼管及び／又は前記試料注入部について正常か異常かを判定するように構成されている。
【００４１】
上記第１態様において、前記圧力センサの出力の変動を検知したときは前記燃焼管及び前記試料注入部が正常であると判定し、前記温度センサの出力の変動のみを検知したときは前記燃焼管が異常かつ前記試料注入部が正常であると判定し、前記圧力センサの出力及び前記温度センサの出力のいずれの変動も検知しなかったときは前記試料注入部が異常であると判定するように、前記判定部を構成することができる。
【００４２】
また、上記第１態様において、前記圧力センサの出力が予め設定された第１のしきい値を超えたときに前記圧力センサの出力の変動を検知し、前記温度センサの出力が予め設定された第２のしきい値を下回ったときに前記温度センサの出力の変動を検知するように、前記判定部を構成することができる。
【００４３】
本発明に係る水質分析計の実施形態の第２態様では、前記判定部による判定結果を記憶する判定結果記憶部を備えている。このような態様により、測定結果に異常があった場合に、それが試料注入部又は燃焼管の異常によるものであるか否かを事後的に検証することができる。
【００４４】
本発明に係る水質分析計の実施形態の第３態様では、前記燃焼管に流体接続されて前記燃焼管内にキャリアガスを供給するためのキャリアガス供給流路を備え、前記圧力センサは前記キャリアガス供給流路上に設けられている。このような態様により、判定部による判定に、燃焼管に供給されるキャリアガスの流量を制御するために設けられている圧力センサの出力信号を用いるため、既存の装置構成を用いて判定部の機能を実現でき、装置コストの増加を抑制することができる。
【符号の説明】
【００４５】
２      燃焼管
２ａ      試料注入口
２ｂ      キャリアガス導入口
２ｃ      試料ガス出口
４      電気炉
６      切替バルブ
８      シリンジポンプ
１０      除湿部
１２      検出部
１４      制御装置
１６      試料導入流路
１８      キャリアガス供給流路
２０      試料ガス流路
２２      通気ガス供給流路
２４      高純度空気源
２６，３２      抵抗管
２８，３２      圧力センサ
３０，３６      流量制御弁
３８      温度センサ
４０      注入制御部
４２      キャリアガス流量制御部
４４      温度制御部
４６      判定部
４８      判定結果記憶部
【図１】
2020129347.tif 000003
【図２】
2020129347.tif 000004
【手続補正書】
【提出日】令和3年6月7日(2021.6.7)
【手続補正１】
【補正対象書類名】明細書
【補正対象項目名】００１７
【補正方法】変更
【補正の内容】
【００１７】
この実施例のＴＯＣ計は、主として、燃焼管２、電気炉４、切替バルブ６、シリンジポンプ８、除湿部１０、検出部１２及び制御装置１４を備えている。
【手続補正２】
【補正対象書類名】明細書
【補正対象項目名】００４５
【補正方法】変更
【補正の内容】
【００４５】
２      燃焼管
２ａ      試料注入口
２ｂ      キャリアガス導入口
２ｃ      試料ガス出口
４      電気炉
６      切替バルブ
８      シリンジポンプ
１０      除湿部
１２      検出部
１４      制御装置
１６      試料導入流路
１８      キャリアガス供給流路
２０      試料ガス流路
２２      通気ガス供給流路
２４      高純度空気源
２６，３２      抵抗管
２８，３４      圧力センサ
３０，３６      流量制御弁
３８      温度センサ
４０      注入制御部
４２      キャリアガス流量制御部
４４      温度制御部
４６      判定部
４８      判定結果記憶部
【国際調査報告】
2020129347.tif 000005
2020129347.tif 000006
2020129347.tif 000007
2020129347.tif 000008